(57)【要約】【課題】煉瓦積み外壁の補強用に外壁内に配置される鉄筋を躯体に固定するための配筋バンド金具であって、鉄筋への取り付け、及び当該金具の躯体への固定作業が容易で、且つ、取り付け耐久性が高く、地震発生時の外壁倒壊を防止しうるバンド金具を提供する。【解決手段】上下に重なった２枚のＬ字片２０，３０が水平辺部２１，３１の端部の連結部４０において連結された二重構造を有し、該連結部４０を横筋の遊貫部４１とし、垂直辺部２３，３３がそれぞれ互いに重なる凸部２４，３４、凹部２５，３５、取り付け孔２６，３６を有し、該取り付け孔２６，３６を介して内側の躯体にネジ止め固定する。【選択図】図２
2007132105.tif 000002
【特許請求の範囲】
【請求項１】
煉瓦積み外壁の施工時に垂直方向及び／または水平方向に配置された鉄筋を、該外壁の内側に配置した躯体に固定するための配筋バンド金具であって、
垂直方向断面がＬ字形で、該Ｌ字の水平辺部に鉄筋を通す遊貫部を有し、Ｌ字の垂直辺部に該垂直辺部を躯体にネジ止めするための取り付け孔を有し、該垂直辺部が躯体との間に弾性構造を有することを特徴とする煉瓦積み外壁施工用配筋バンド金具。
【請求項２】
垂直方向断面がＬ字の２枚のＬ字片を上下に重ね、該Ｌ字の水平辺部末端において互いに連結した二重構造を有し、該連結箇所を鉄筋の遊貫部とし、
上側及び下側のＬ字の垂直辺部にそれぞれ、Ｌ字の内側に向かって突出する凸部と、該凸部の中央からＬ字の外側に向かって突出する凹部と、該凹部の中央に形成された取り付け孔とを有し、
上記上側及び下側の垂直辺部の凸部、凹部、取り付け孔が互いに重なり合う請求項１に記載の煉瓦積み外壁施工用配筋バンド金具。
【請求項３】
垂直方向断面がＬ字のＬ字片であり、該Ｌ字の垂直辺部が外側にバネを有する請求項１に記載の煉瓦積み外壁施工用配筋バンド金具。
【発明の詳細な説明】
【技術分野】
【０００１】
本発明は家屋の外壁として煉瓦を用いた煉瓦積み外壁の補強のために、該外壁内に配置される鉄筋を該外壁の内側の躯体に固定するために用いられる配筋バンド金具に関する。
【背景技術】
【０００２】
従来、木造家屋の外壁の施工に際しては、外板下地を貼ってモルタルを塗る工法や、下地をしてタイルを貼る工法、サイディングを貼る工法等が一般的であったが、近年、施工後のメンテナンスが不要で風合いに優れた化粧煉瓦積み工法が広く用いられるようになってきた。
【０００３】
往年の煉瓦積み外壁は単に煉瓦を積み上げただけであったため耐震性に劣っていたが、近年の煉瓦積み外壁は外壁内に鉄筋を縦横に走らせ、該外壁の内側の躯体と該鉄筋とを金具で連結することにより、優れた耐震性を持たせている（例えば、特許文献１参照）。
【０００４】
【特許文献１】特許第３６８６３４６号公報
【発明の開示】
【発明が解決しようとする課題】
【０００５】
特許文献１にも開示されているように、外壁の補強用に外壁内に配置された鉄筋はバンド金具を用いて内側の躯体に取り付けられる。
【０００６】
本発明の課題は、上記煉瓦積み外壁の補強用に外壁内に配置される鉄筋を躯体に固定するための配筋バンド金具であって、鉄筋への取り付け、及び当該金具の躯体への固定作業が容易で、且つ、取り付け耐久性が高く、地震発生時の外壁倒壊を防止しうるバンド金具を提供することにある。
【課題を解決するための手段】
【０００７】
煉瓦積み外壁の施工時に垂直方向及び／または水平方向に配置された鉄筋を、該外壁の内側に配置した躯体に固定するための配筋バンド金具であって、
垂直方向断面がＬ字形で、該Ｌ字の水平辺部に鉄筋を通す遊貫部を有し、Ｌ字の垂直辺部に該垂直辺部を躯体にネジ止めするための取り付け孔を有し、該垂直辺部が躯体との間に弾性構造を有することを特徴とする。
【０００８】
本発明の配筋バンド金具としては、下記の態様を好ましく含む。
【０００９】
垂直方向断面がＬ字の２枚のＬ字片を上下に重ね、該Ｌ字の水平辺部末端において互いに連結した二重構造を有し、該連結箇所を鉄筋の遊貫部とし、
上側及び下側のＬ字の垂直辺部にそれぞれ、Ｌ字の内側に向かって突出する凸部と、該凸部の中央からＬ字の外側に向かって突出する凹部と、該凹部の中央に形成された取り付け孔とを有し、
上記上側及び下側の垂直辺部の凸部、凹部、取り付け孔が互いに重なり合う構成である。
【００１０】
垂直方向断面がＬ字のＬ字片であり、該Ｌ字の垂直辺部が外側にバネを有する構成である。
【発明の効果】
【００１１】
本発明によれば、外壁の補強用鉄筋を躯体に固定するための配筋バンド金具が、該躯体に弾性構造を介して取り付けられるため、該バンド金具が躯体からはずれにくく、長期にわたって外壁の倒壊防止効果が継続する。
【００１２】
また、配筋バンド金具が躯体との間に弾性構造を有し、さらに、鉄筋が該配筋バンド金具の遊貫部において余裕を持って取り付けられていることから、地震発生時には躯体の揺れを該弾性構造及び遊貫部の遊びが緩和するため、外壁に伝わる揺れが低減して地震による外壁の倒壊を防止することができる。
【発明を実施するための最良の形態】
【００１３】
本発明の煉瓦積み外壁用配筋バンド金具を図面を参照しながら詳細に説明する。
【００１４】
図１は本発明の配筋バンド金具を用いて施工した外壁構造の一例を示す斜視図であり、図中、１は外壁、２は煉瓦、３は躯体、４は水抜き用モルタル、５は通気層、６は縦筋、７は縦バンド金具、８は横筋、９は横バンド金具、１０は通気口、１１は目地である。
【００１５】
本例は、外壁１の内側に通気層５を介して躯体３を配置することで断熱性を高めた構造である。通気層３の下方には外側に向かって上面が下方に傾むくように水抜き用モルタル４が埋め込まれており、該通気層４内に侵入した雨水などを外壁１側に集め、外壁１の目地の一部を欠いて形成した通気口１０より外壁１の外側に排出するように構成されている。
【００１６】
外壁１は煉瓦２を千鳥配列で互いに目地１１を介して積み上げて構成される。各煉瓦２には垂直方向に貫通する配筋孔２ａが形成されており、所定の間隔をおいて垂直に立てられた縦筋６を該配筋孔２ａに通すことで外壁１の強度を高めている。尚、縦筋６はさらに下方の基礎部分を構成するベースコンクリート（不図示）等に強固に取り付けられている。縦筋６には所定の高さごとに縦バンド金具７の一端が嵌め込まれ、該縦バンド金具７の他端は内側に配置された躯体３に固定されている。さらに外壁１には、所定の高さごとに水平方向に横筋８が介在し、該横筋８は横バンド金具９によって、縦筋７と同様に躯体３に連結されている。
【００１７】
このように、縦筋６と横筋８とを外壁１内に縦横に走らせることにより、外壁１の強度が飛躍的に向上する。また、縦バンド金具７と横バンド金具９によってそれぞれ、縦筋６と横筋８とが躯体３に連結されていることによって、外壁１が外側に倒壊するのが防止される。また、縦バンド金具７及び横バンド金具９はそれぞれ、遊びを有して縦筋６と横筋８とに取り付けられていることと、外壁１と躯体３との間に通気層５が介在していることから、地震発生時などにおいては躯体３の揺れが外壁１に直接伝わらずに緩和されるため、外壁１の倒壊がより良く防止される。
【００１８】
図１に示したように、本発明にかかる煉瓦積み外壁においては縦筋６と横筋８とを縦横に介在させながら煉瓦２を積み上げて外壁１を構成する。尚、煉瓦２の配置は図１に示した千鳥配列に限定されるものではなく、碁盤状に配列させても良く、また、煉瓦２の大きさや形状も場所によって適宜変更することで美観に優れた外壁１とすることができる。
【００１９】
本発明の配筋バンド金具は図１の縦バンド金具７及び横バンド金具９の少なくとも一方に適用される。
【００２０】
図２に本発明の配筋バンド金具の好ましい実施形態を示す。本例は横筋を固定するための横バンド金具であり、（ａ）は全体の斜視図であり、（ｂ）は垂直辺部の垂直方向断面模式図である。図中、２０，３０はＬ字片、２１，３１は水平辺部、２２，３２はＶ字部、２３，３３は垂直辺部、２４，３４は凸部、２５，３５は凹部、２６，３６は取り付け孔、４０は連結部、４１は遊貫部である。
【００２１】
本発明の配筋バンド金具は弾性素材を用いて構成され、図２の例においては、所定の形状に切断した後、凸部や孔部等必要な部位を形成した後、中央部で折り曲げて二重構造としている。弾性素材として具体的には金属や合成樹脂が挙げられるが、図１に示す如く外部に露出する場合があり、耐久性、耐候性に優れた素材が望ましい。具体的には金属、特に亜鉛メッキ材やステンレスが好ましく用いられる。
【００２２】
図２のバンド金具は垂直方向断面がＬ字である２枚のＬ字片２０，３０を上下方向に重ね、水平辺部２１，３１の末端において連結部４０によって連結した構造を有している。連結部４０は図２に示すように、横筋よりも直径の大きな円弧状に形成して内側を横筋を通すための遊貫部４１とする。
【００２３】
また、垂直辺部２３，３３はそれぞれ、中央にＬ字の内側に突出する凸部２４，３４と、該凸部２４，３４の中央部からＬ字の外側に突出する凹部２５，３５と、該凹部２５，３５の中央に形成された取り付け孔２６，３６を有している。当該バンド金具は取り付け孔２６，３６を介して躯体にネジ止めされる。
【００２４】
本例のバンド金具においては、垂直辺部２３と３３とが互いに重なり合うことが必要である。そのため、垂直辺部２３に形成された凸部２４、凹部２５、取り付け孔２６は、垂直辺部３３に形成された凸部３４、凹部３５、取り付け孔３６と全く同じサイズで形成してもかまわないが、凸部２４を３４より若干大きく、凹部２５を３５より若干小さく、取り付け孔２６を３６より若干小さく形成することにより、垂直辺部２３と３３との重合が容易になるため好ましい。
【００２５】
本例のバンド金具は、図２に示すように垂直辺部２３，３３を重ねた状態で、取り付け孔２６，３６より躯体にネジ止めする。その結果、該凸部２３，３３が弾性力を発揮してネジを引き抜く方向に応力が働く。さらに、連結部４０の弾性力によって重なったＬ字片２０と３０とが互いに離れる方向に応力が働くことによって、垂直辺部２３が垂直辺部３０から離れる方向、即ち、ネジを引き抜く方向に応力が働く。その結果、ネジには常に引き抜く方向の応力がかかるために、躯体との摩擦力によって経時的なネジの緩みが防止される。
【００２６】
このように、本例においては、凸部２３，３３をそれぞれ形成した垂直辺部２３，３３を重ねたことで躯体との間に弾性構造を構成しており、当該弾性構造により躯体と垂直辺部との固定が補強されている上、地震発生時に生じる躯体の揺れが該弾性構造によって緩和される。
【００２７】
さらに、本例のバンド金具は横筋を遊貫部４１に遊貫して取り付けるため、横筋と遊貫部４１との間に空間的な遊びが有り、地震発生時に強い揺れが生じた場合でも、躯体からバンド金具を介して伝わる揺れが該遊びによって緩和される。
【００２８】
よって、上記弾性構造による揺れの緩和効果と相俟って、躯体から横筋に伝わる揺れが大幅に緩和され、外壁の倒壊防止が図られる。
【００２９】
また、本例のバンド金具は二重になったＬ字片２０，３０の連結部４０において横筋を遊貫し、Ｌ字片２０，３０の端部である垂直辺部２３，３３はいずれも躯体に固定される。よって、一端遊貫された横筋が当該バンド金具より外れることがない。
【００３０】
図２のバンド金具は、一連の金属片の両端にそれぞれ、凸部２４，３４、凹部２５，３５、取り付け孔２６，３６を成形した後、中央で折り曲げて形成することにより、所定の弾性力が付与される。当該バンド金具は図２の状態で垂直辺部３３の凸部３４が垂直辺部２３の凸部２４の裏側に入り込んで互いに掛止しているが、Ｌ字片２０，３０に弾性があり、連結部４０が円弧状に形成されているため、容易に外すことができる。従って、施工前には図２の状態で供給し、施工時に垂直辺部２３を上部に引き上げることでＬ字片２０と３０との間隙を広げ、該間隙に横筋を挟むように通して遊貫部４１に横筋を配置すればよい。次いで、水平辺部２１が水平辺部３１に接するように垂直辺部２３を下げると、垂直辺部２３の凸部２４の裏側に垂直辺部３３の凸部３４が入り込んで互いに掛止し、作業者が手を添えていなくてもこの状態が保持される。また、この状態で、垂直辺部２３の取り付け孔２６は垂直辺部３３の取り付け孔３６に重なっているため、垂直辺部３３を躯体の所定の位置に当接させて取り付け孔２６よりネジ止めすることで当該バンド金具が容易に躯体に固定される。
【００３１】
図２のバンド金具においては、水平辺部２１，３１の途中に、該水平辺部２１，３１の幅方向両端部が近接するように長手方向に沿って折り曲げて該幅方向の断面をＶ字状に成形したＶ字部２２，３２を形成することにより、水平辺部２１，３１の強度向上を図っている。
【００３２】
図３，図４は本発明の配筋バンド金具の他の実施形態であり、縦筋用のバンド金具の構成例である。図中、５１は水平辺部、５２は遊貫部、５３は垂直辺部、５４，５４’は取り付け孔、５５，５６はバネである。
【００３３】
図３，図４においては、Ｌ字片の水平辺部５１の一端側に縦筋よりも直径が大きい孔を形成して縦筋を遊貫するための遊貫部５２とし、垂直辺部５３には躯体に固定するための取り付け孔５４が形成されている。さらに、本例においては、垂直辺部５３の外側に弾性構造としてバネを配置しており、図３においては螺旋状バネ５５、図４においては板バネ５６を用いて構成した例である。尚、図４の板バネ５６には、取り付け孔５４に重なる取り付け孔５４’が形成されている。
【００３４】
図３，図４の例においては、取り付け孔５４を介して垂直辺部５３を躯体にネジ止めした場合、垂直辺部５３の背後に配置したバネ５５，５６の弾性により、垂直辺部５３は躯体より離す方向に応力を受け、その結果、ネジには常に引き抜く方向の応力がかかり、躯体との摩擦力によって経時的なネジの緩みが防止される。また、地震発生時に生じる躯体の揺れは、当該金具に伝わる際に該弾性構造によって緩和される。
【００３５】
さらに、本例においても、縦筋の遊貫部５２は縦筋との間に空間的な遊びが有るため、地震発生時に生じた躯体の揺れが当該金具を介して縦筋に伝わる際に、当該遊びによって緩和され、上記した弾性構造による揺れの緩和と相俟って、該揺れが大幅に低減されて外壁の倒壊が防止される。
【００３６】
図３，図４のバンド金具は、少なくともバネは弾性素材で構成されるが、全体を耐久性、耐候性に優れた素材で構成することが好ましく、図２のバンド金具と同様に金属、特に亜鉛メッキ材やステンレスで好ましく構成される。
【００３７】
上記図２〜図４の実施形態は本発明の好ましい構成例であるが、本発明はこれら実施形態に限定されるものではなく、例えば、図２において、垂直辺部３３の背面に図３，図４に用いたバネ５５或いは５６を取り付けて弾性構造とすることもできる。また、図３，図４において、図２に例示したようなＬ字片２０，３０を用いて垂直辺部２３，３３において弾性構造を構成する形態を取ることもできる。さらに、図５に、図２のバンド金具を縦バンド金具としても用いることができるように応用した形態を示す。図５のバンド金具においては、図２のバンド金具の水平辺部２１，３１の幅を広げ、それぞれに縦筋を遊貫するための遊貫部５２ａ，５２ｂを形成することにより、一種類のバンド金具で縦筋、横筋の両方の固定に用いることができる。
【図面の簡単な説明】
【００３８】
【図１】本発明の配筋バンド金具を用いた煉瓦積み外壁の一例を示す斜視図である。
【図２】本発明の配筋バンド金具を横バンド金具に適用した実施形態を示す斜視図である。
【図３】本発明の配筋バンド金具を縦バンド金具に適用した実施形態を示す斜視図である。
【図４】本発明の配筋バンド金具を縦バンド金具に適用した実施形態を示す斜視図である。
【図５】本発明の配筋バンド金具を横バンド金具、縦バンド金具に併用しうる実施形態を示す斜視図である。
【符号の説明】
【００３９】
１  外壁
２  煉瓦
２ａ  配筋孔
３  躯体
４  水抜き用モルタル
５  通気層
６  縦筋
７  縦バンド金具
８  横筋
９  横バンド金具
１０  通気口
１１  目地
２０，３０  Ｌ字片
２１，３１，５１  水平辺部
２２，３２  Ｖ字部
２３，３３，５３  垂直辺部
２４，３４  凸部
２５，３５  凹部
２６，３６，５４，５４’  取り付け孔
４０  連結部
４１，５２，５２ａ，５２ｂ  遊貫部
５５，５６  バネ
【図１】
2007132105.tif 000003
【図２】
2007132105.tif 000004
【図３】
2007132105.tif 000005
【図４】
2007132105.tif 000006
【図５】
2007132105.tif 000007
【手続補正書】
【提出日】平成18年8月9日(2006.8.9)
【手続補正１】
【補正対象書類名】特許請求の範囲
【補正対象項目名】全文
【補正方法】変更
【補正の内容】
【特許請求の範囲】
【請求項１】
煉瓦積み外壁の施工時に垂直方向及び／または水平方向に配置された鉄筋を、該外壁の内側に配置した躯体に固定するための配筋バンド金具であって、
垂直方向断面がＬ字の２枚のＬ字片を上下に重ね、該Ｌ字の水平辺部末端において互いに連結した二重構造を有し、該連結箇所を鉄筋の遊貫部とし、
上側及び下側のＬ字の垂直辺部にそれぞれ、Ｌ字の内側に向かって突出する凸部と、該凸部の中央からＬ字の外側に向かって突出する凹部と、該凹部の中央に形成された取り付け孔とを有し、
上記上側及び下側の垂直辺部の凸部、凹部、取り付け孔が互いに重なり合うことを特徴とする煉瓦積み外壁施工用配筋バンド金具。
【手続補正２】
【補正対象書類名】明細書
【補正対象項目名】０００７
【補正方法】変更
【補正の内容】
【０００７】
本発明は、煉瓦積み外壁の施工時に垂直方向及び／または水平方向に配置された鉄筋を、該外壁の内側に配置した躯体に固定するための配筋バンド金具であって、
垂直方向断面がＬ字の２枚のＬ字片を上下に重ね、該Ｌ字の水平辺部末端において互いに連結した二重構造を有し、該連結箇所を鉄筋の遊貫部とし、
上側及び下側のＬ字の垂直辺部にそれぞれ、Ｌ字の内側に向かって突出する凸部と、該凸部の中央からＬ字の外側に向かって突出する凹部と、該凹部の中央に形成された取り付け孔とを有し、
上記上側及び下側の垂直辺部の凸部、凹部、取り付け孔が互いに重なり合うことを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００３２
【補正方法】変更
【補正の内容】
【００３２】
図３，図４は縦筋用のバンド金具の構成例である。図中、５１は水平辺部、５２は遊貫部、５３は垂直辺部、５４，５４’は取り付け孔、５５，５６はバネである。
【手続補正７】
【補正対象書類名】明細書
【補正対象項目名】００３７
【補正方法】変更
【補正の内容】
【００３７】
上記図２の実施形態は本発明の好ましい構成例であるが、本発明はこの実施形態に限定されるものではなく、例えば、図２において、垂直辺部３３の背面に図３，図４に用いたバネ５５或いは５６を取り付けて弾性構造とすることもできる。また、図３，図４において、図２に例示したようなＬ字片２０，３０を用いて垂直辺部２３，３３において弾性構造を構成する形態を取ることもできる。さらに、図５に、図２のバンド金具を縦バンド金具としても用いることができるように応用した形態を示す。図５のバンド金具においては、図２のバンド金具の水平辺部２１，３１の幅を広げ、それぞれに縦筋を遊貫するための遊貫部５２ａ，５２ｂを形成することにより、一種類のバンド金具で縦筋、横筋の両方の固定に用いることができる。
【手続補正８】
【補正対象書類名】明細書
【補正対象項目名】００３８
【補正方法】変更
【補正の内容】
【００３８】
【図１】本発明の配筋バンド金具を用いた煉瓦積み外壁の一例を示す斜視図である。
【図２】本発明の配筋バンド金具を横バンド金具に適用した実施形態を示す斜視図である。
【図３】縦バンド金具の構成例を示す斜視図である。
【図４】縦バンド金具の構成例を示す斜視図である。
【図５】本発明の配筋バンド金具を横バンド金具、縦バンド金具に併用しうる実施形態を示す斜視図である。